【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
空気調和機に内蔵されたエアフイルターの上流側表面に沿って移動する塵埃除去ユニットと、塵埃を捕捉するフイルターを備えると共に、上流側に吸気口を、下流側に排出口をそれぞれ有する塵埃回収ユニットと、前記塵埃回収ユニットの前記排出口に連通すると共に吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体とを有し、前記塵埃除去ユニットが所定の位置まで移動したときに、前記ダストケース内部と前記吸気口とが連通するようにした空気調和機用清掃装置。
【請求項２】
空気調和機に内蔵されたエアフイルターの上流側表面に沿って移動する塵埃除去ユニットと、吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体と、塵埃を捕捉するフイルターを内蔵し、上流側に前記ダストケースと連通する吸気口を、下流側に排出口をそれぞれ有する塵埃回収ユニットとを有し、前記塵埃除去ユニットが所定の位置まで移動したときに、前記排出口が前記吸引ユニットと連通するようにした空気調和機用清掃装置。
【請求項３】
空気調和機に内蔵されたエアフイルターの上流側表面に沿って移動する塵埃除去ユニットと、前記塵埃除去ユニットが所定の位置まで移動したときに前記塵埃除去ユニットと連通する吸引通路ユニットと、塵埃を捕捉するフイルターを備えると共に、上流側が前記吸引通路ユニットと連通し、下流側に排出口を有する塵埃回収ユニットと、前記排出口に連通すると共に吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体とを有する空気調和機用清掃装置。
【請求項４】
塵埃除去ユニットのエアフイルターに対向する面に、回転清掃体が臨む開口部を設け、吸引ユニットの動作時に、前記開口部を閉鎖するようにした請求項１〜３のいずれか1項に記載の空気調和機用清掃装置。
【請求項５】
塵埃除去ユニット内に、堆積した塵埃を掻き出す塵埃掻き出し手段を設けた請求項１〜４のいずれか1項に記載の空気調和機用清掃装置。
【請求項６】
塵埃回収ユニットを着脱自在に設けた請求項１〜５のいずれか1項に記載の空気調和機用清掃装置。
【請求項７】
塵埃除去ユニットを着脱自在に設けた請求項１〜６のいずれか１項に記載の空気調和機用清掃装置。
【請求項８】
回転清掃体を、軸体とブラシ状部材で構成し、前記ブラシ状部材に、摺動性に優れた材料をコーティングした請求項１〜７のいずれか１項に記載の空気調和機用清掃装置。
【請求項９】
ダストケースの内壁に、摺動性に優れた材料をコーティングした請求項１〜８のいずれか１項に記載の空気調和機用清掃装置。
【請求項１０】
除塵体の先端を、回転清掃体に食い込むように櫛刃状に形成して、前記回転清掃体より塵埃を除去するようにし、吸引ユニットを動作させる際に、前記回転清掃体を逆転させるようにした請求項１〜９のいずれか１項に記載の空気調和機用清掃装置。
【請求項１１】
フイルターとして使い捨ての紙パックを用いた請求項１〜１０のいずれか１項に記載の空気調和機用清掃装置。
【請求項１２】
熱交換器と、前記熱交換器の上流側に配され流入する空気に含まれる塵埃を捕獲するエアフイルターと、請求項１〜１１のいずれか1項に記載の空気調和機用清掃装置を備えた空気調和機。
【手続補正２】
【補正対象書類名】明細書
【補正対象項目名】００１６
【補正方法】変更
【補正の内容】
【００１６】
前記従来の課題を解決するために、本発明の空気調和機用清掃装置は、空気調和機に内蔵されたエアフイルターの上流側表面に沿って移動する塵埃除去ユニットと、塵埃を捕捉するフイルターを備えると共に、上流側に吸気口を、下流側に排出口をそれぞれ有する塵埃回収ユニットと、前記塵埃回収ユニットの前記排出口に連通すると共に吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体とを有し、前記塵埃除去ユニットが所定の位置まで移動したときに、前記ダストケース内部と前記吸気口とが連通するようにしたもので、エアフイルターに付着した塵埃は、回転清掃体で確実に掻き取られながらダストケース内に堆積していくと共に、前記塵埃除去ユニットが所定の位置まで移動したときに、吸引ユニットを動作させると、ダストケース内に堆積した塵埃が、吸引風により瞬時に塵埃回収ユニット内に移動し、その塵埃回収ユニットを取り外して塵埃を周囲に撒き散らすことなくしかも簡単に廃棄することが出来るので、メンテナンスが容易でしかも衛生的である。
【手続補正３】
【補正対象書類名】明細書
【補正対象項目名】００１８
【補正方法】変更
【補正の内容】
【００１８】
又、本発明の空気調和機用清掃装置は、空気調和機に内蔵されたエアフイルターの上流側表面に沿って移動する塵埃除去ユニットと、吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体と、塵埃を捕捉するフイルターを内蔵し、上流側に前記ダストケースと連通する吸気口を、下流側に排出口をそれぞれ有する塵埃回収ユニットとを有し、前記塵埃除去ユニットが所定の位置まで移動したときに、前記排出口が前記吸引ユニットと連通するようにしたもので、エアフイルターに付着した塵埃は、回転清掃体で確実に掻き取られながらダストケース内に堆積していくと共に、前記塵埃除去ユニットが所定の位置まで移動したときに、吸引ユニットを動作させると、ダストケース内に堆積した塵埃が、吸引風により瞬時に塵埃回収ユニット内に移動し、その塵埃回収ユニットを取り外して塵埃を周囲に撒き散らすことなくしかも簡単に廃棄することが出来るので、メンテナンスが容易でしかも衛生的である。
【手続補正４】
【補正対象書類名】明細書
【補正対象項目名】００２０
【補正方法】変更
【補正の内容】
【００２０】
また、本発明の空気調和機用清掃装置は、空気調和機に内蔵されたエアフイルターの上流側表面に沿って移動する塵埃除去ユニットと、前記塵埃除去ユニットが所定の位置まで移動したときに前記塵埃除去ユニットと連通する吸引通路ユニットと、塵埃を捕捉するフイルターを備えると共に、上流側が前記吸引通路ユニットと連通し、下流側に排出口を有する塵埃回収ユニットと、前記排出口に連通すると共に吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体とを有するもので、エアフイルターに付着した塵埃は、回転清掃体で確実に掻き取られながらダストケース内に堆積していくと共に、前記塵埃除去ユニットが所定の位置まで移動したときに、吸引ユニットを動作させると、ダストケース内に堆積した塵埃が、吸引風により、吸引通路ユニットを経て、瞬時に塵埃回収ユニット内に移動し、その塵埃回収ユニットを取り外すことにより、塵埃を周囲に撒き散らすことなくしかも簡単に廃棄することが出来るので、メンテナンスが容易でしかも衛生的である。
【手続補正５】
【補正対象書類名】明細書
【補正対象項目名】００２４
【補正方法】変更
【補正の内容】
【００２４】
第１の発明は、空気調和機に内蔵されたエアフイルターの上流側表面に沿って移動する塵埃除去ユニットと、塵埃を捕捉するフイルターを備えると共に、上流側に吸気口を、下流側に排出口をそれぞれ有する塵埃回収ユニットと、前記塵埃回収ユニットの前記排出口に連通すると共に吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体とを有し、前記塵埃除去ユニットが所定の位置まで移動したときに、前記ダストケース内部と前記吸気口とが連通するようにしたもので、エアフイルターに付着した塵埃は、回転清掃体で確実に掻き取られながらダストケース内に堆積していくと共に、前記塵埃除去ユニットが所定の位置まで移動したときに、吸引ユニットを動作させると、ダストケース内に堆積した塵埃が、吸引風により瞬時に塵埃回収ユニット内に移動し、その塵埃回収ユニットを取り外して塵埃を周囲に撒き散らすことなくしかも簡単に廃棄することが出来るので、メンテナンスが容易でしかも衛生的である。
【手続補正６】
【補正対象書類名】明細書
【補正対象項目名】００２６
【補正方法】変更
【補正の内容】
【００２６】
第２の発明は、空気調和機に内蔵されたエアフイルターの上流側表面に沿って移動する塵埃除去ユニットと、吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体と、塵埃を捕捉するフイルターを内蔵し、上流側に前記ダストケースと連通する吸気口を、下流側に排出口をそれぞれ有する塵埃回収ユニットとを有し、前記塵埃除去ユニットが所定の位置まで移動したときに、前記排出口が前記吸引ユニットと連通するようにしたもので、エアフイルターに付着した塵埃は、回転清掃体で確実に掻き取られながらダストケース内に堆積していくと共に、前記塵埃除去ユニットが所定の位置まで移動したときに、吸引ユニットを動作させると、ダストケース内に堆積した塵埃が、吸引風により瞬時に塵埃回収ユニット内に移動し、その塵埃回収ユニットを取り外して塵埃を周囲に撒き散らすことなくしかも簡単に廃棄することが出来るので、メンテナンスが容易でしかも衛生的である。
【手続補正７】
【補正対象書類名】明細書
【補正対象項目名】００２８
【補正方法】変更
【補正の内容】
【００２８】
第３の発明は、空気調和機に内蔵されたエアフイルターの上流側表面に沿って移動する塵埃除去ユニットと、前記塵埃除去ユニットが所定の位置まで移動したときに前記塵埃除去ユニットと連通する吸引通路ユニットと、塵埃を捕捉するフイルターを備えると共に、上流側が前記吸引通路ユニットと連通し、下流側に排出口を有する塵埃回収ユニットと、前記排出口に連通すると共に吸引風を発生させる吸引ユニットとを備え、前記塵埃除去ユニットは、駆動手段で回転駆動されると共に前記エアフイルターに付着した塵埃を掻き取る回転清掃体と、該回転清掃体が設置され、該回転清掃体で掻き取られた塵埃を収納するダストケースと、前記回転清掃体に付着した塵埃を除去する除塵体とを有するもので、エアフイルターに付着した塵埃は、回転清掃体で確実に掻き取られながらダストケース内に堆積していくと共に、前記塵埃除去ユニットが所定の位置まで移動したときに、吸引ユニットを動作させると、ダストケース内に堆積した塵埃が、吸引風により、吸引通路ユニットを経て、瞬時に塵埃回収ユニット内に移動し、その塵埃回収ユニットを取り外すことにより、塵埃を周囲に撒き散らすことなくしかも簡単に廃棄することが出来るので、メンテナンスが容易でしかも衛生的である。